(57)【要約】      （修正有）【課題】本発明は外科医用手術器具ケースを提供する。【解決手段】本体１０と、取替機構７０と、伝動機構７１と、器具収納機構７２と、片方向機構とを含み、前記本体の中には貯蔵チャンバ１１が設けられ、前記貯蔵チャンバの中には片方向機構が取り付けられ、前記片方向機構は入力軸と、定位ロッドと横向きロッドとを含み、前記入力軸と前記貯蔵チャンバの後端壁とが回転できるように連結され、前記入力軸には入力歯車が固定的に設けられ、前記入力軸の前端には爪車機構が取り付けられ、前記定位ロッドが前記入力軸の上側に位置しており、且つ前記貯蔵チャンバの後端壁と固定的に連結され、前記定位ロッドには前記横向きロッドが回転できるように設けられ、前記定位ロッドと前記横向きロッドとの間には第一トーションバネが設けられている。【選択図】図１
2020182812.tif 000002
【特許請求の範囲】
【請求項１】
正面視で、本体と、取替機構と、伝動機構と、器具収納機構と、片方向機構とを含み、
前記本体の中には貯蔵チャンバが設けられ、前記貯蔵チャンバの中には片方向機構が取り付けられ、前記片方向機構は入力軸と、定位ロッドと横向きロッドとを含み、前記入力軸と前記貯蔵チャンバの後端壁とが回転できるように連結され、前記入力軸には入力歯車が固定的に設けられ、前記入力軸の前端には爪車機構が取り付けられ、前記定位ロッドが前記入力軸の上側に位置しており、且つ前記貯蔵チャンバの後端壁と固定的に連結され、前記定位ロッドには前記横向きロッドが回転できるように設けられ、前記定位ロッドと前記横向きロッドとの間には第一トーションバネが設けられており、
前記器具収納機構は作動軸と、磁石板と、手術器具と、旋転軸とを含み、前記作動軸と前記貯蔵チャンバの前端壁とが回転できるように連結され、前記作動軸の後端には爪車機構が取り付けられ、前記作動軸には円盤が固定的に設けられ、前記円盤の中には磁石板が取り付けられ、前記円盤の中には前方に開口した収納溝が三つ設けられ、前記円盤の中には後方に開口した弓形溝が三つ設けられ、前記円盤の中には前記収納溝と前記弓形溝の前後端壁とを貫通した前記旋転軸が回転できるように連結され、前記収納溝の中の旋転軸にはゴムシートが固定的に設けられ、二つずつの近接した前記ゴムシートの間には前記手術器具が挟まれており、前記弓形溝の中の旋転軸には第一リールが固定的に設けられ、前記弓形溝の中には弓形ブロックがスライドできるように設けられ、前記弓形ブロックと前記第一リールとが第一ロープによって連結され、前記弓形ブロックの後端面には後端が前記貯蔵チャンバの中に位置した押しブロックが固定的に設けられ、前記弓形ブロックと前記弓形溝の端壁とが弓形バネによって固定的に連結されていることを特徴とする外科医用手術器具ケース。
【請求項２】
前記取替機構は台座と、第一磁石と、方形ブロックとを含み、前記台座が前記本体の左端面の下側に固定され、前記台座の中には上方に開口した弾性溝が設けられ、前記弾性溝の中には前記方形ブロックが前後に対称的に、且つスライドできるように設けられ、前記方形ブロックの下端面には前記第一磁石が固定的に設けられ、前記弾性溝の下端面には第二磁石が前後に対称的に、且つ固定的に設けられ、前記方形ブロックの下端面には下端が前記弾性溝の下端壁と固定的に連結された圧力バネが左右に対称的に固定的に設けられ、前記弾性溝の右端壁には中心軸が回転できるように設けられ、前記中心軸には回転板が固定的に設けられていることを特徴とする請求項１に記載の外科医用手術器具ケース。
【請求項３】
前記伝動機構は第一プーリー軸と、第二リールと、第一プーリーと、ベルトとを含み、前記貯蔵チャンバの後端壁には前方に開口したトーション溝が左右に対称的に設けられ、前記トーション溝の後端壁には前端が前記貯蔵チャンバの中に位置した第一プーリー軸が回転できるように設けられ、前記第一プーリー軸と前記トーション溝との間には第二トーションバネが設けられ、前記貯蔵チャンバの中の第一プーリー軸には前記第二リールと前記第一プーリーとが固定的に設けられ、前記第二リールには前記方形ブロックと連結された第二ロープが巻き付いており、前記貯蔵チャンバの後端壁には第二プーリー軸が左右に対称的に、且つ回転できるように設けられ、前記第二プーリー軸には小歯車と第二プーリーとが固定的に設けられ、前記小歯車と前記入力歯車とが噛合によって伝動でき、前記第二プーリーと前記第一プーリーとがベルトによって摩擦し伝動できるように設けられていることを特徴とする請求項１に記載の外科医用手術器具ケース。
【請求項４】
前記本体の下端面にはローラが四つ取り付けられ、前記ローラは装置を運動連動させることができることを特徴とする請求項１に記載の外科医用手術器具ケース。
【請求項５】
前記貯蔵チャンバの上端壁には外部空間を連通した底部溝が設けられ、前記底部溝の後端壁には短ロッドが固定的に設けられ、前記短ロッドには蓋板が回転できるように設けられ、前記短ロッドと前記蓋板との間には第三トーションバネが設けられ、前記蓋板の中には底部磁石が取り付けられていることを特徴とする請求項１に記載の外科医用手術器具ケース。
【請求項６】
前記第三トーションバネが圧縮状態にあり、前記弓形バネが正常状態にあることを特徴とする請求項１または請求項５に記載の外科医用手術器具ケース。
【請求項７】
前記爪車機構の作用により、前記入力軸の片方向での回転は前記作動軸を回転連動させることができ、前記入力軸のもう片方向での回転は前記作動軸を回転連動させることができないことを特徴とする請求項１に記載の外科医用手術器具ケース。
【請求項８】
前記第一磁石と前記第二磁石との間には吸引力があることを特徴とする請求項１または請求項２に記載の外科医用手術器具ケース。
【発明の詳細な説明】
【技術分野】
【０００１】
本発明は医療器具分野を取り上げて、具体的には外科医用手術器具ケースである。
【背景技術】
【０００２】
外科手術はよくある手術であり、外科手術の過程で、外科医にとって大量の手術器具が必要であり、現有の外科手術の中、外科手術用器具を準備するのは看護師であり、準備する時に、器具の並べとチェックとには多くの時間がかかり、そして、患者が危ない時または外出で手術器具を持ち運ぶ必要がある時に、不便であり、あるいは準備する時間が足りない。
【先行技術文献】
【特許文献】
【０００３】
【特許文献１】中国特許出願公開第１０７０８０５９０号明細書
【発明の概要】
【発明が解決しようとする課題】
【０００４】
本発明の目的は外科医用手術器具ケースを提供し、それは上記の現在の技術中の問題を解決できる。
【課題を解決するための手段】
【０００５】
本発明は以下の技術プランを通じて実現する：本発明の外科医用手術器具ケースは、本体と、取替機構と、伝動機構と、器具収納機構と、片方向機構とを含み、
前記本体の中には貯蔵チャンバが設けられ、前記貯蔵チャンバの中には片方向機構が取り付けられ、前記片方向機構は入力軸と、定位ロッドと横向きロッドとを含み、前記入力軸と前記貯蔵チャンバの後端壁とが回転できるように連結され、前記入力軸には入力歯車が固定的に設けられ、前記入力軸の前端には爪車機構が取り付けられ、前記定位ロッドが前記入力軸の上側に位置しており、且つ前記貯蔵チャンバの後端壁と固定的に連結され、前記定位ロッドには前記横向きロッドが回転できるように設けられ、前記定位ロッドと前記横向きロッドとの間には第一トーションバネが設けられており、
前記器具収納機構は作動軸と、磁石板と、手術器具と、旋転軸とを含み、前記作動軸と前記貯蔵チャンバの前端壁とが回転できるように連結され、前記作動軸の後端には爪車機構が取り付けられ、前記作動軸には円盤が固定的に設けられ、前記円盤の中には磁石板が取り付けられ、前記円盤の中には前方に開口した収納溝が三つ設けられ、前記円盤の中には後方に開口した弓形溝が三つ設けられ、前記円盤の中には前記収納溝と前記弓形溝の前後端壁とを貫通した前記旋転軸が回転できるように連結され、前記収納溝の中の旋転軸にはゴムシートが固定的に設けられ、二つずつの近接した前記ゴムシートの間には前記手術器具が挟まれており、前記弓形溝の中の旋転軸には第一リールが固定的に設けられ、前記弓形溝の中には弓形ブロックがスライドできるように設けられ、前記弓形ブロックと前記第一リールとが第一ロープによって連結され、前記弓形ブロックの後端面には後端が前記貯蔵チャンバの中に位置した押しブロックが固定的に設けられ、前記弓形ブロックと前記弓形溝の端壁とが弓形バネによって固定的に連結されている。
【０００６】
更の技術プラン、前記取替機構は台座と、第一磁石と、方形ブロックとを含み、前記台座が前記本体の左端面の下側に固定され、前記台座の中には上方に開口した弾性溝が設けられ、前記弾性溝の中には前記方形ブロックが前後に対称的に、且つスライドできるように設けられ、前記方形ブロックの下端面には前記第一磁石が固定的に設けられ、前記弾性溝の下端面には第二磁石が前後に対称的に、且つ固定的に設けられ、前記方形ブロックの下端面には下端が前記弾性溝の下端壁と固定的に連結された圧力バネが左右に対称的に固定的に設けられ、前記弾性溝の右端壁には中心軸が回転できるように設けられ、前記中心軸には回転板が固定的に設けられている。
【０００７】
更の技術プラン、前記伝動機構は第一プーリー軸と、第二リールと、第一プーリーと、ベルトとを含み、前記貯蔵チャンバの後端壁には前方に開口したトーション溝が左右に対称的に設けられ、前記トーション溝の後端壁には前端が前記貯蔵チャンバの中に位置した第一プーリー軸が回転できるように設けられ、前記第一プーリー軸と前記トーション溝との間には第二トーションバネが設けられ、前記貯蔵チャンバの中の第一プーリー軸には前記第二リールと前記第一プーリーとが固定的に設けられ、前記第二リールには前記方形ブロックと連結された第二ロープが巻き付いており、前記貯蔵チャンバの後端壁には第二プーリー軸が左右に対称的に、且つ回転できるように設けられ、前記第二プーリー軸には小歯車と第二プーリーとが固定的に設けられ、前記小歯車と前記入力歯車とが噛合によって伝動でき、前記第二プーリーと前記第一プーリーとがベルトによって摩擦し伝動できるように設けられている。
【０００８】
更の技術プラン、前記本体の下端面にはローラが四つ取り付けられ、前記ローラは装置を運動連動させることができる。
【０００９】
更の技術プラン、前記貯蔵チャンバの上端壁には外部空間を連通した底部溝が設けられ、前記底部溝の後端壁には短ロッドが固定的に設けられ、前記短ロッドには蓋板が回転できるように設けられ、前記短ロッドと前記蓋板との間には第三トーションバネが設けられ、前記蓋板の中には底部磁石が取り付けられている。
【００１０】
更の技術プラン、前記第三トーションバネが圧縮状態にあり、前記弓形バネが正常状態にある。
【００１１】
更の技術プラン、前記爪車機構の作用により、前記入力軸の片方向での回転は前記作動軸を回転連動させることができ、前記入力軸のもう片方向での回転は前記作動軸を回転連動させることができない。
【００１２】
更の技術プラン、前記第一磁石と前記第二磁石との間には吸引力がある。
【発明の効果】
【００１３】
本装置の内部は大量の手術器具を収納でき、持ち運びと移動に便利であり、紛失しにくく、使用する必要がある時、足で操作して部分の手術器具を出すことができ、出し入れが便利であり、使用後に装置を封鎖でき、手術器具に対して比較的にいい保護作用を果たし、緊急事態や外出する時に適用される。
【図面の簡単な説明】
【００１４】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の外科医用手術器具ケースの全体断面の正面構成略図
【図２】図２は図１のＡ―Ａ方向の略図
【図３】図３は図１の円盤の後面略図
【図４】図４は図１のＢ―Ｂ方向の略図
【図５】図５は図１の貯蔵チャンバの正面断面構成略図
【図６】図６は図１のＣ―Ｃ方向の略図
【発明を実施するための形態】
【００１６】
図１〜６を参照し、本発明の外科医用手術器具ケースは、本体１０と、取替機構７０と、伝動機構７１と、器具収納機構７２と、片方向機構７３とを含み、
前記本体１０の中には貯蔵チャンバ１１が設けられ、前記貯蔵チャンバ１１の中には片方向機構７３が取り付けられ、前記片方向機構７３は入力軸５１と、定位ロッド４６と横向きロッド４４とを含み、前記入力軸５１と前記貯蔵チャンバ１１の後端壁とが回転できるように連結され、前記入力軸５１には入力歯車５２が固定的に設けられ、前記入力軸５１の前端には爪車機構４７が取り付けられ、前記定位ロッド４６が前記入力軸５１の上側に位置しており、且つ前記貯蔵チャンバ１１の後端壁と固定的に連結され、前記定位ロッド４６には前記横向きロッド４４が回転できるように設けられ、前記定位ロッド４６と前記横向きロッド４４との間には第一トーションバネ４５が設けられており、
前記器具収納機構７２は作動軸３１と、磁石板２７と、手術器具２２と、旋転軸４３とを含み、前記作動軸３１と前記貯蔵チャンバ１１の前端壁とが回転できるように連結され、前記作動軸３１の後端には爪車機構４７が取り付けられ、前記作動軸３１には円盤３０が固定的に設けられ、前記円盤３０の中には磁石板２７が取り付けられ、前記円盤３０の中には前方に開口した収納溝２３が三つ設けられ、前記円盤３０の中には後方に開口した弓形溝３８が三つ設けられ、前記円盤３０の中には前記収納溝２３と前記弓形溝３８の前後端壁とを貫通した前記旋転軸４３が回転できるように連結され、前記収納溝２３の中の旋転軸４３にはゴムシート２１が固定的に設けられ、二つずつの近接した前記ゴムシート２１の間には前記手術器具２２が挟まれており、前記弓形溝３８の中の旋転軸４３には第一リール４２が固定的に設けられ、前記弓形溝３８の中には弓形ブロック４０がスライドできるように設けられ、前記弓形ブロック４０と前記第一リール４２とが第一ロープ４１によって連結され、前記弓形ブロック４０の後端面には後端が前記貯蔵チャンバ１１の中に位置した押しブロック３９が固定的に設けられ、前記弓形ブロック４０と前記弓形溝３８の端壁とが弓形バネ３７によって固定的に連結されている。
【００１７】
前記取替機構７０は台座１６と、第一磁石１９と、方形ブロック２０とを含み、前記台座１６が前記本体１０の左端面の下側に固定され、前記台座１６の中には上方に開口した弾性溝１７が設けられ、前記弾性溝１７の中には前記方形ブロック２０が前後に対称的に、且つスライドできるように設けられ、前記方形ブロック２０の下端面には前記第一磁石１９が固定的に設けられ、前記弾性溝１７の下端面には第二磁石１５が前後に対称的に、且つ固定的に設けられ、前記方形ブロック２０の下端面には下端が前記弾性溝１７の下端壁と固定的に連結された圧力バネ１８が左右に対称的に固定的に設けられ、前記弾性溝１７の右端壁には中心軸３６が回転できるように設けられ、前記中心軸３６には回転板３５が固定的に設けられている。
【００１８】
前記伝動機構７１は第一プーリー軸３２と、第二リール３３と、第一プーリー３４と、ベルト１２とを含み、前記貯蔵チャンバ１１の後端壁には前方に開口したトーション溝５３が左右に対称的に設けられ、前記トーション溝５３の後端壁には前端が前記貯蔵チャンバ１１の中に位置した第一プーリー軸３２が回転できるように設けられ、前記第一プーリー軸３２と前記トーション溝５３との間には第二トーションバネ５４が設けられ、前記貯蔵チャンバ１１の中の第一プーリー軸３２には前記第二リール３３と前記第一プーリー３４とが固定的に設けられ、前記第二リール３３には前記方形ブロック２０と連結された第二ロープ１４が巻き付いており、前記貯蔵チャンバ１１の後端壁には第二プーリー軸４９が左右に対称的に、且つ回転できるように設けられ、前記第二プーリー軸４９には小歯車４８と第二プーリー５０とが固定的に設けられ、前記小歯車４８と前記入力歯車５２とが噛合によって伝動でき、前記第二プーリー５０と前記第一プーリー３４とがベルト１２によって摩擦し伝動できるように設けられている。
【００１９】
前記本体１０の下端面にはローラ１３が四つ取り付けられ、前記ローラ１３は装置を運動連動させることができる。
【００２０】
前記貯蔵チャンバ１１の上端壁には外部空間を連通した底部溝２４が設けられ、前記底部溝２４の後端壁には短ロッド２６が固定的に設けられ、前記短ロッド２６には蓋板２８が回転できるように設けられ、前記短ロッド２６と前記蓋板２８との間には第三トーションバネ２５が設けられ、前記蓋板２８の中には底部磁石２９が取り付けられ、前記底部磁石２９と前記磁石板２７とが吸引力を持っている。
【００２１】
前記第三トーションバネ２５が圧縮状態にあり、前記弓形バネ３７が正常状態にあり、前記第一トーションバネ４５の弾力は前記弓形バネ３７の弾力より大きいのである。
【００２２】
前記爪車機構４７の作用により、前記入力軸５１の片方向での回転は前記作動軸３１を回転連動させることができ、前記入力軸５１のもう片方向での回転は前記作動軸３１を回転連動させることができない。
【００２３】
前記第一磁石１９と前記第二磁石１５との間には吸引力がある。
【００２４】
装置全体の作動順序は以下の通り：
【００２５】
１、手術器具２２が必要になる時、足で方形ブロック２０を踏み、方形ブロック２０を降下連動させ、第一磁石１９と第二磁石１５とを互いに吸着させ、方形ブロック２０が回転板３５を押し動かし回転させる。
【００２６】
２、方形ブロック２０が下方へ運動する時に第二ロープを引き動かし、第二リール３３を回転連動させ、これによって第一プーリー３４を回転連動させ、第二トーションバネ５４が圧縮され、ベルト１２の摩擦伝動により、第二プーリー５０を回転連動させ、これによって小歯車４８を回転連動させる。
【００２７】
３、小歯車４８と入力歯車５２との噛合伝動により、入力歯車５２を回転連動させ、これによって入力軸５１を回転連動させる。
【００２８】
４、この方向の回転で、入力軸５１は爪車機構４７によって作動軸３１を回転連動させることができ、これによって円盤３０を回転連動させる。
【００２９】
５、円盤３０が磁石板２７を回転連動させ底部磁石２９から離れさせ、磁石板２７と底部磁石２９との間の吸引力を減少させ、第三トーションバネ２５が復帰し、蓋板２８を回転連動させ、これによって貯蔵チャンバ１１を開ける。
【００３０】
６、一番左側の押しブロック３９が横向きロッド４４のところに運動し、第一トーションバネ４５の弾力が弓形バネ３７の弾力より大きいため、弓形バネ３７が圧縮され、弓形ブロック４０が押されて弓形溝３８に沿って運動し、第一ロープ４１を引き動かし、これによって第一リール４２を回転連動させ、第一リール４２がゴムシート２１と手術器具２２とを回転連動させ、ゴムシート２１と手術器具２２とを底部溝２４から出し、四つの手術器具２２を取出して使用することができる。
【００３１】
７、もう一個の方形ブロック２０踏むことで、円盤３０が連動されて元の方向に沿って回転することができ、ほかの四つの手術器具２２を取出して使用することができる。
【００３２】
８、使用完了後、磁石板２７を元の位置に回転させることができ、蓋板２８を押し動かして装置を復帰させる。
【００３３】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182812.tif 000003
【図２】
2020182812.tif 000004
【図３】
2020182812.tif 000005
【図４】
2020182812.tif 000006
【図５】
2020182812.tif 000007
【図６】
2020182812.tif 000008
【手続補正書】
【提出日】令和1年11月9日(2019.11.9)
【手続補正１】
【補正対象書類名】特許請求の範囲
【補正対象項目名】全文
【補正方法】変更
【補正の内容】
【特許請求の範囲】
【請求項１】
正面視で、本体と、取替機構と、伝動機構と、器具収納機構と、片方向機構とを含み、
前記本体の中には貯蔵チャンバが設けられ、前記貯蔵チャンバの中には片方向機構が取り付けられ、前記片方向機構は入力軸と、定位ロッドと横向きロッドとを含み、前記入力軸と前記貯蔵チャンバの後端壁とが回転できるように連結され、前記入力軸には入力歯車が固定的に設けられ、前記入力軸の前端には爪車機構が取り付けられ、前記定位ロッドが前記入力軸の上側に位置しており、且つ前記貯蔵チャンバの後端壁と固定的に連結され、前記定位ロッドには前記横向きロッドが回転できるように設けられ、前記定位ロッドと前記横向きロッドとの間には第一トーションバネが設けられており、
前記器具収納機構は作動軸と、磁石板と、手術器具と、旋転軸とを含み、前記作動軸と前記貯蔵チャンバの前端壁とが回転できるように連結され、前記作動軸の後端には爪車機構が取り付けられ、前記作動軸には円盤が固定的に設けられ、前記円盤の中には磁石板が取り付けられ、前記円盤の中には前方に開口した収納溝が三つ設けられ、前記円盤の中には後方に開口した弓形溝が三つ設けられ、前記円盤の中には前記収納溝と前記弓形溝の前後端壁とを貫通した前記旋転軸が回転できるように連結され、前記収納溝の中の旋転軸にはゴムシートが固定的に設けられ、二つずつの近接した前記ゴムシートの間には前記手術器具が挟まれており、前記弓形溝の中の旋転軸には第一リールが固定的に設けられ、前記弓形溝の中には弓形ブロックがスライドできるように設けられ、前記弓形ブロックと前記第一リールとが第一ロープによって連結され、前記弓形ブロックの後端面には後端が前記貯蔵チャンバの中に位置した押しブロックが固定的に設けられ、前記弓形ブロックと前記弓形溝の端壁とが弓形バネによって固定的に連結され、
前記取替機構は台座と、第一磁石と、方形ブロックとを含み、前記台座が前記本体の左端面の下側に固定され、前記台座の中には上方に開口した弾性溝が設けられ、前記弾性溝の中には前記方形ブロックが前後に対称的に、且つスライドできるように設けられ、前記方形ブロックの下端面には前記第一磁石が固定的に設けられ、前記弾性溝の下端面には第二磁石が前後に対称的に、且つ固定的に設けられ、前記方形ブロックの下端面には下端が前記弾性溝の下端壁と固定的に連結された圧力バネが左右に対称的に固定的に設けられ、前記弾性溝の中には中心軸が回転できるように設けられ、前記中心軸には回転板が固定的に設けられ、
前記伝動機構は第一プーリー軸と、第二リールと、第一プーリーと、ベルトとを含み、前記貯蔵チャンバの後端壁には前方に開口したトーション溝が左右に対称的に設けられ、前記トーション溝の後端壁には前端が前記貯蔵チャンバの中に位置した第一プーリー軸が回転できるように設けられ、前記第一プーリー軸と前記トーション溝との間には第二トーションバネが設けられ、前記貯蔵チャンバの中の第一プーリー軸には前記第二リールと前記第一プーリーとが固定的に設けられ、前記第二リールには前記方形ブロックと連結された第二ロープが巻き付いており、前記貯蔵チャンバの後端壁には第二プーリー軸が左右に対称的に、且つ回転できるように設けられ、前記第二プーリー軸には小歯車と第二プーリーとが固定的に設けられ、前記小歯車と前記入力歯車とが噛合によって伝動でき、前記第二プーリーと前記第一プーリーとがベルトによって摩擦し伝動できるように設けられていることを特徴とする外科医用手術器具ケース。
【請求項２】
前記本体の下端面にはローラが四つ取り付けられていることを特徴とする請求項１に記載の外科医用手術器具ケース。
【請求項３】
前記貯蔵チャンバの上端壁には外部空間を連通した底部溝が設けられ、前記底部溝の後端壁には短ロッドが固定的に設けられ、前記短ロッドには蓋板が回転できるように設けられ、前記短ロッドと前記蓋板との間には第三トーションバネが設けられ、前記蓋板の中には底部磁石が取り付けられていることを特徴とする請求項１に記載の外科医用手術器具ケース。
【請求項４】
前記第三トーションバネが圧縮状態にあり、前記弓形バネが正常状態にあることを特徴とする請求項３に記載の外科医用手術器具ケース。
【請求項５】
前記爪車機構の作用により、前記入力軸の片方向での回転は前記作動軸を回転連動させることができ、前記入力軸のもう片方向での回転は前記作動軸を回転連動させることができないことを特徴とする請求項１に記載の外科医用手術器具ケース。
【請求項６】
前記第一磁石と前記第二磁石との間には吸引力があることを特徴とする請求項１に記載の外科医用手術器具ケース。
【手続補正２】
【補正対象書類名】明細書
【補正対象項目名】全文
【補正方法】変更
【補正の内容】
【発明の詳細な説明】
【技術分野】
【０００１】
本発明は医療器具分野を取り上げて、具体的には外科医用手術器具ケースである。
【背景技術】
【０００２】
外科手術はよくある手術であり、外科手術の過程で、外科医にとって大量の手術器具が必要であり、現有の外科手術の中、外科手術用器具を準備するのは看護師であり、準備する時に、器具の並べとチェックとには多くの時間がかかり、そして、患者が危ない時または外出で手術器具を持ち運ぶ必要がある時に、不便であり、あるいは準備する時間が足りない。
【先行技術文献】
【特許文献】
【０００３】
【特許文献１】中国特許出願公開第１０７０８０５９０号明細書
【発明の概要】
【発明が解決しようとする課題】
【０００４】
本発明の目的は外科医用手術器具ケースを提供し、それは上記の現在の技術中の問題を解決できる。
【課題を解決するための手段】
【０００５】
本発明は以下の技術プランを通じて実現する：本発明の外科医用手術器具ケースは、本体と、取替機構と、伝動機構と、器具収納機構と、片方向機構とを含み、
前記本体の中には貯蔵チャンバが設けられ、前記貯蔵チャンバの中には片方向機構が取り付けられ、前記片方向機構は入力軸と、定位ロッドと横向きロッドとを含み、前記入力軸と前記貯蔵チャンバの後端壁とが回転できるように連結され、前記入力軸には入力歯車が固定的に設けられ、前記入力軸の前端には爪車機構が取り付けられ、前記定位ロッドが前記入力軸の上側に位置しており、且つ前記貯蔵チャンバの後端壁と固定的に連結され、前記定位ロッドには前記横向きロッドが回転できるように設けられ、前記定位ロッドと前記横向きロッドとの間には第一トーションバネが設けられており、
前記器具収納機構は作動軸と、磁石板と、手術器具と、旋転軸とを含み、前記作動軸と前
記貯蔵チャンバの前端壁とが回転できるように連結され、前記作動軸の後端には爪車機構が取り付けられ、前記作動軸には円盤が固定的に設けられ、前記円盤の中には磁石板が取り付けられ、前記円盤の中には前方に開口した収納溝が三つ設けられ、前記円盤の中には後方に開口した弓形溝が三つ設けられ、前記円盤の中には前記収納溝と前記弓形溝の前後端壁とを貫通した前記旋転軸が回転できるように連結され、前記収納溝の中の旋転軸にはゴムシートが固定的に設けられ、二つずつの近接した前記ゴムシートの間には前記手術器具が挟まれており、前記弓形溝の中の旋転軸には第一リールが固定的に設けられ、前記弓形溝の中には弓形ブロックがスライドできるように設けられ、前記弓形ブロックと前記第一リールとが第一ロープによって連結され、前記弓形ブロックの後端面には後端が前記貯蔵チャンバの中に位置した押しブロックが固定的に設けられ、前記弓形ブロックと前記弓形溝の端壁とが弓形バネによって固定的に連結されている。
【０００６】
更の技術プラン、前記取替機構は台座と、第一磁石と、方形ブロックとを含み、前記台座が前記本体の左端面の下側に固定され、前記台座の中には上方に開口した弾性溝が設けられ、前記弾性溝の中には前記方形ブロックが前後に対称的に、且つスライドできるように設けられ、前記方形ブロックの下端面には前記第一磁石が固定的に設けられ、前記弾性溝の下端面には第二磁石が前後に対称的に、且つ固定的に設けられ、前記方形ブロックの下端面には下端が前記弾性溝の下端壁と固定的に連結された圧力バネが左右に対称的に固定的に設けられ、前記弾性溝の中には中心軸が回転できるように設けられ、前記中心軸には回転板が固定的に設けられている。
【０００７】
更の技術プラン、前記伝動機構は第一プーリー軸と、第二リールと、第一プーリーと、ベルトとを含み、前記貯蔵チャンバの後端壁には前方に開口したトーション溝が左右に対称的に設けられ、前記トーション溝の後端壁には前端が前記貯蔵チャンバの中に位置した第一プーリー軸が回転できるように設けられ、前記第一プーリー軸と前記トーション溝との間には第二トーションバネが設けられ、前記貯蔵チャンバの中の第一プーリー軸には前記第二リールと前記第一プーリーとが固定的に設けられ、前記第二リールには前記方形ブロックと連結された第二ロープが巻き付いており、前記貯蔵チャンバの後端壁には第二プーリー軸が左右に対称的に、且つ回転できるように設けられ、前記第二プーリー軸には小歯車と第二プーリーとが固定的に設けられ、前記小歯車と前記入力歯車とが噛合によって伝動でき、前記第二プーリーと前記第一プーリーとがベルトによって摩擦し伝動できるように設けられている。
【０００８】
更の技術プラン、前記本体の下端面にはローラが四つ取り付けられている。
【０００９】
更の技術プラン、前記貯蔵チャンバの上端壁には外部空間を連通した底部溝が設けられ、前記底部溝の後端壁には短ロッドが固定的に設けられ、前記短ロッドには蓋板が回転できるように設けられ、前記短ロッドと前記蓋板との間には第三トーションバネが設けられ、前記蓋板の中には底部磁石が取り付けられている。
【００１０】
更の技術プラン、前記第三トーションバネが圧縮状態にあり、前記弓形バネが正常状態にある。
【００１１】
更の技術プラン、前記爪車機構の作用により、前記入力軸の片方向での回転は前記作動軸を回転連動させることができ、前記入力軸のもう片方向での回転は前記作動軸を回転連動させることができない。
【００１２】
更の技術プラン、前記第一磁石と前記第二磁石との間には吸引力がある。
【発明の効果】
【００１３】
本装置の内部は大量の手術器具を収納でき、持ち運びと移動に便利であり、紛失しにくく、使用する必要がある時、足で操作して部分の手術器具を出すことができ、出し入れが便利であり、使用後に装置を封鎖でき、手術器具に対して比較的にいい保護作用を果たし、緊急事態や外出する時に適用される。
【図面の簡単な説明】
【００１４】
下記に図１〜６をあわせて本発明について詳しく説明し、本願に記載の各方向が、図１と同じ向きに装置を見た際の方向である。
【００１５】
【図１】図１は本発明の外科医用手術器具ケースの全体断面の正面構成略図
【図２】図２は図１のＡ―Ａ方向の略図
【図３】図３は図１の円盤の後面略図
【図４】図４は図１のＢ―Ｂ方向の略図
【図５】図５は図１の貯蔵チャンバの正面断面構成略図
【図６】図６は図１のＣ―Ｃ方向の略図
【発明を実施するための形態】
【００１６】
図１〜６を参照し、本発明の外科医用手術器具ケースは、本体１０と、取替機構７０と、伝動機構７１と、器具収納機構７２と、片方向機構７３とを含み、
前記本体１０の中には貯蔵チャンバ１１が設けられ、前記貯蔵チャンバ１１の中には片方向機構７３が取り付けられ、前記片方向機構７３は入力軸５１と、定位ロッド４６と横向きロッド４４とを含み、前記入力軸５１と前記貯蔵チャンバ１１の後端壁とが回転できるように連結され、前記入力軸５１には入力歯車５２が固定的に設けられ、前記入力軸５１の前端には爪車機構４７が取り付けられ、前記定位ロッド４６が前記入力軸５１の上側に位置しており、且つ前記貯蔵チャンバ１１の後端壁と固定的に連結され、前記定位ロッド４６には前記横向きロッド４４が回転できるように設けられ、前記定位ロッド４６と前記横向きロッド４４との間には第一トーションバネ４５が設けられており、
前記器具収納機構７２は作動軸３１と、磁石板２７と、手術器具２２と、旋転軸４３とを含み、前記作動軸３１と前記貯蔵チャンバ１１の前端壁とが回転できるように連結され、前記作動軸３１の後端には爪車機構４７が取り付けられ、前記作動軸３１には円盤３０が固定的に設けられ、前記円盤３０の中には磁石板２７が取り付けられ、前記円盤３０の中には前方に開口した収納溝２３が三つ設けられ、前記円盤３０の中には後方に開口した弓形溝３８が三つ設けられ、前記円盤３０の中には前記収納溝２３と前記弓形溝３８の前後端壁とを貫通した前記旋転軸４３が回転できるように連結され、前記収納溝２３の中の旋転軸４３にはゴムシート２１が固定的に設けられ、二つずつの近接した前記ゴムシート２１の間には前記手術器具２２が挟まれており、前記弓形溝３８の中の旋転軸４３には第一リール４２が固定的に設けられ、前記弓形溝３８の中には弓形ブロック４０がスライドできるように設けられ、前記弓形ブロック４０と前記第一リール４２とが第一ロープ４１によって連結され、前記弓形ブロック４０の後端面には後端が前記貯蔵チャンバ１１の中に位置した押しブロック３９が固定的に設けられ、前記弓形ブロック４０と前記弓形溝３８の端壁とが弓形バネ３７によって固定的に連結されている。
【００１７】
前記取替機構７０は台座１６と、第一磁石１９と、方形ブロック２０とを含み、前記台座１６が前記本体１０の左端面の下側に固定され、前記台座１６の中には上方に開口した弾性溝１７が設けられ、前記弾性溝１７の中には前記方形ブロック２０が前後に対称的に、且つスライドできるように設けられ、前記方形ブロック２０の下端面には前記第一磁石１９が固定的に設けられ、前記弾性溝１７の下端面には第二磁石１５が前後に対称的に、且つ固定的に設けられ、前記方形ブロック２０の下端面には下端が前記弾性溝１７の下端壁と固定的に連結された圧力バネ１８が左右に対称的に固定的に設けられ、前記弾性溝１７の中には中心軸３６が回転できるように設けられ、前記中心軸３６には回転板３５が固定的に設けられている。
【００１８】
前記伝動機構７１は第一プーリー軸３２と、第二リール３３と、第一プーリー３４と、ベルト１２とを含み、前記貯蔵チャンバ１１の後端壁には前方に開口したトーション溝５３が左右に対称的に設けられ、前記トーション溝５３の後端壁には前端が前記貯蔵チャンバ１１の中に位置した第一プーリー軸３２が回転できるように設けられ、前記第一プーリー軸３２と前記トーション溝５３との間には第二トーションバネ５４が設けられ、前記貯蔵チャンバ１１の中の第一プーリー軸３２には前記第二リール３３と前記第一プーリー３４とが固定的に設けられ、前記第二リール３３には前記方形ブロック２０と連結された第二ロープ１４が巻き付いており、前記貯蔵チャンバ１１の後端壁には第二プーリー軸４９が左右に対称的に、且つ回転できるように設けられ、前記第二プーリー軸４９には小歯車４８と第二プーリー５０とが固定的に設けられ、前記小歯車４８と前記入力歯車５２とが噛合によって伝動でき、前記第二プーリー５０と前記第一プーリー３４とがベルト１２によって摩擦し伝動できるように設けられている。
【００１９】
前記本体１０の下端面にはローラ１３が四つ取り付けられている。
【００２０】
前記貯蔵チャンバ１１の上端壁には外部空間を連通した底部溝２４が設けられ、前記底部溝２４の後端壁には短ロッド２６が固定的に設けられ、前記短ロッド２６には蓋板２８が回転できるように設けられ、前記短ロッド２６と前記蓋板２８との間には第三トーションバネ２５が設けられ、前記蓋板２８の中には底部磁石２９が取り付けられ、前記底部磁石２９と前記磁石板２７とが吸引力を持っている。
【００２１】
前記第三トーションバネ２５が圧縮状態にあり、前記弓形バネ３７が正常状態にあり、前記第一トーションバネ４５の弾力は前記弓形バネ３７の弾力より大きいのである。
【００２２】
前記爪車機構４７の作用により、前記入力軸５１の片方向での回転は前記作動軸３１を回転連動させることができ、前記入力軸５１のもう片方向での回転は前記作動軸３１を回転連動させることができない。
【００２３】
前記第一磁石１９と前記第二磁石１５との間には吸引力がある。
【００２４】
装置全体の作動順序は以下の通り：
【００２５】
１、手術器具２２が必要になる時、足で方形ブロック２０を踏み、方形ブロック２０を降下連動させ、第一磁石１９と第二磁石１５とを互いに吸着させ、方形ブロック２０が回転板３５を押し動かし回転させる。
【００２６】
２、方形ブロック２０が下方へ運動する時に第二ロープを引き動かし、第二リール３３を回転連動させ、これによって第一プーリー３４を回転連動させ、第二トーションバネ５４が圧縮され、ベルト１２の摩擦伝動により、第二プーリー５０を回転連動させ、これによって小歯車４８を回転連動させる。
【００２７】
３、小歯車４８と入力歯車５２との噛合伝動により、入力歯車５２を回転連動させ、これによって入力軸５１を回転連動させる。
【００２８】
４、この方向の回転で、入力軸５１は爪車機構４７によって作動軸３１を回転連動させることができ、これによって円盤３０を回転連動させる。
【００２９】
５、円盤３０が磁石板２７を回転連動させ底部磁石２９から離れさせ、磁石板２７と底部磁石２９との間の吸引力を減少させ、第三トーションバネ２５が復帰し、蓋板２８を回転連動させ、これによって貯蔵チャンバ１１を開ける。
【００３０】
６、一番左側の押しブロック３９が横向きロッド４４のところに運動し、第一トーションバネ４５の弾力が弓形バネ３７の弾力より大きいため、弓形バネ３７が圧縮され、弓形ブロック４０が押されて弓形溝３８に沿って運動し、第一ロープ４１を引き動かし、これによって第一リール４２を回転連動させ、第一リール４２がゴムシート２１と手術器具２２とを回転連動させ、ゴムシート２１と手術器具２２とを底部溝２４から出し、四つの手術器具２２を取出して使用することができる。
【００３１】
７、もう一個の方形ブロック２０踏むことで、円盤３０が連動されて元の方向に沿って回転することができ、ほかの四つの手術器具２２を取出して使用することができる。
【００３２】
８、使用完了後、磁石板２７を元の位置に回転させることができ、蓋板２８を押し動かして装置を復帰させる。
【００３３】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。